(57)【要約】【課題】  制御盤の機械室設置及び昇降路設置に対して適応し、しかも容易に製作できて簡易な作業によって据付けできるエレベーターの制御盤装置を得る。【解決手段】  制御盤の機械室設置時に、第一制御盤８に深形箱体１１を嵌合して第二制御盤１２を装着する。これにより、機械室設置に対し第一制御盤８及び第二制御盤１２の両者を一体化して、分割された制御盤の据付作業の手数を省き据付作業性を向上する。  また、制御盤の昇降路設置時に、上記両者を分離した状態で昇降路の水平投影面において適応した空所に設置する。これにより、制御盤を機械室設置のものと共通化でき、製作費を低減する。また、機械室設置の制御盤を分離して昇降路設置に対応できるので、スペースによる制約が減少して昇降路における機器レイアウトを容易化する。【選択図】        図２ 
2005324870.tif 000002
【特許請求の範囲】
【請求項１】
箱体に奥行きの浅い制御用機器が装備された第一制御盤と、この第一制御盤における奥行きの浅い制御用機器よりも奥行きの深い制御用機器が装備された深形箱体の正面形における外形寸法が、上記第一制御盤の箱体における正面形寸法よりも小形に形成されて、上記深形箱体が上記第一制御盤の箱体から前後方向の少なくとも一方に突出自在に構成され、かつ上記第一制御盤の箱体内に装着自在に構成された第二制御盤とからなるエレベーターの制御盤装置。
【発明の詳細な説明】
【技術分野】
【０００１】
この発明は、機械室内及び昇降路内のいずれかに設置されて昇降体の運転を制御するエレベーターの制御盤装置に関する。
【背景技術】
【０００２】
エレベーターにおいて昇降路とは別に機械室を設けて制御盤を設置したり、機械室を設けず昇降路内に制御盤を設置することがある。そして、従来のエレベーターの制御盤において、制御盤を複数に分割して製作して機械室設置のときは並列状態に配置し、また昇降路設置のときは直列状態に配置する。これによって、同じ制御盤により機械室設置及び昇降路設置のそれぞれに適応できるようにして、制御盤の製作費を低減するように構成されている。（例えば、特許文献１参照）。
【０００３】
【特許文献１】特開２００２−２１１８４７号公報（要約、図１、図３）
【発明の開示】
【発明が解決しようとする課題】
【０００４】
従来のエレベーターの制御盤では、制御盤設置のスペースに関わる制約が大きい昇降路設置に対応するように制御盤が複数に分割して製作される。しかし、制御盤設置のスペースに関わる制約が比較的に小さい機械室設置に対しては、制御盤を必要以上に分割することになる。このため、分割された制御盤の製作に煩雑な手数が掛かって製作費が嵩み、また分割された制御盤の相互間の接続線が増したり、据付時の作業性が低下したりするという問題点があった。
【０００５】
この発明は、かかる問題点を解消するためになされたものであり、制御盤の機械室設置及び昇降路設置に対して適応し、しかも容易に製作できて簡易な作業によって据付けできるエレベーターの制御盤装置を得ることを目的とする。
【課題を解決するための手段】
【０００６】
この発明に係るエレベーターの制御盤装置においては、箱体に奥行きの浅い制御用機器が装備された第一制御盤と、この第一制御盤の奥行きの浅い制御用機器よりも奥行きの深い制御用機器が装備された深形箱体の正面形における外形寸法が、第一制御盤の箱体における正面形寸法よりも小形に形成されて、深形箱体が第一制御盤の箱体から前後方向の少なくとも一方に突出自在に構成され、かつ第一制御盤の箱体内に装着自在に構成された第二制御盤とが設けられる。
【発明の効果】
【０００７】
この発明によるエレベーターの制御盤装置は、制御盤が機械室に設置される場合には、第一制御盤の箱体の装着手段、すなわち開口部に深形箱体が嵌合されて第二制御盤が第一制御盤に装着される。これによって、制御盤設置のスペースに関わる制約が比較的に小さい機械室設置に対して、第一制御盤及び第二制御盤が一体化されるので、分割された制御盤の相互の据付作業時における接続の手数を省くことができて、据付作業性を向上する効果がある。
【０００８】
また、制御盤設置のスペースに関わる制約が大きい昇降路設置に対して、第一制御盤及び第二制御盤が分離された状態でそれぞれ昇降路の水平投影面における適応した空所に設置される。これによって、昇降路設置の制御盤を機械室設置の制御盤と共通化でき、制御盤の製作費を低減する効果がある。また、機械室設置の制御盤を分離して設置することによって昇降路設置に容易に対応できるので、設置スペースによる制約が減少して昇降路における機器のレイアウトを容易化する効果がある。
【発明を実施するための最良の形態】
【０００９】
実施の形態１．
図１〜図５は、この発明の実施の形態を示す図で、図１はエレベーターを概念的に示す縦断面図、図２は図１の制御盤を拡大して示す図、図３は図２の平面図、図４は図１のエレベーターに関連した他のエレベーターの昇降路を概念的に示す横断平面図、図５は図４の制御盤の拡大正面図である。図において、昇降路１の上部に機械室２が設けられ、機械室２に巻上機３、巻上機３近くにそらせ車４が設けられる。
【００１０】
そして、巻上機３及びそらせ車４に主索５が巻掛けられて、主索５の一端にかご６が、他端につり合おもり７がそれぞれ連結される。また図１において、機械室２に第一制御盤８が設けられる。そして、第一制御盤８の箱体９には、図示が省略してあるが奥行きの浅い制御用機器、例えば実装プリント基板、トランジスターに放熱フィンが設けられてなるインバータ、操作スイッチが装備されて、これら奥行きの浅い制御用機器に対応した浅い奥行きに箱体９が形成される。
【００１１】
また、第一制御盤８には後述する第二制御盤を装着するための開口部１０を要部とする装着手段が設けられる。そして、第一制御盤８の奥行きの浅い制御用機器よりも奥行きの深い制御用機器、例えば図示が省略してあるがＮＦブレーカ、トランス、コンタクタ、リレーが装備された深形箱体１１を有する第二制御盤１２が形成される。なお、第二制御盤１２は深形箱体１１が第一制御盤８の奥行き寸法よりも深い奥行き寸法に形成されると共に、深形箱体１１の正面形における外形寸法が、第一制御盤８の箱体９における正面形寸法よりも小形に形成される。
【００１２】
また、第一制御盤８のケーブルの端末にコネクター１３が設けられ、また第二制御盤１２のケーブルの端末にコネクター１４が設けられる。また、中継ケーブル１５の両端末にそれぞれコネクター１３、コネクター１４に対応したコネクターが設けられる。
そして図４において、昇降路１の横断面における隅部に第二制御盤１２が設けられる。また、つり合おもり７と第二制御盤１２の間に第一制御盤８が設けられてかご６と昇降路１の壁１６の間に配置される。
【００１３】
上記のように構成されたエレベーターの制御盤装置において、制御盤が機械室２に設置される場合には、第一制御盤８の箱体９の装着手段、すなわち開口部１０に深形箱体１１が嵌合されて第二制御盤１２が第一制御盤８に装着される。なお、この状態では図３に示すように第一制御盤８の前面から第二制御盤１２が突出して配置される。そして、第一制御盤８のケーブルのコネクター１３と第二制御盤１２のケーブルのコネクター１４とが接続される。
【００１４】
これにより、制御盤設置のスペースに関わる制約が比較的に小さい機械室２設置に対して、第一制御盤８及び第二制御盤１２が一体化された制御盤が機械室２に設置される。したがって、分割された制御盤の相互の据付作業時における接続の手数を省き、据付作業性を向上することができる。また、制御盤設置のスペースに関わる制約が大きい昇降路１設置に対して、第一制御盤８及び第二制御盤１２が分離された状態で、箱体９の奥行きが浅い第一制御盤８が水平投影面においてかご６と昇降路１の壁１６との間に配置される。
【００１５】
また、箱体１１の奥行きが深い第二制御盤１２は水平投影面における昇降路１の隅部に配置される。そして、第一制御盤８のケーブルのコネクター１３と第二制御盤１２のケーブルのコネクター１４とが中継ケーブル１５によって接続される。これによって、昇降路１設置の制御盤を機械室２設置の制御盤と共通化でき、制御盤の製作費を低減することができる。また、機械室２設置の制御盤を分離して昇降路１設置に容易に対応できるので、設置スペースによる制約が減少して昇降路１における機器のレイアウトを容易化することができる。
【００１６】
なお、図３において第二制御盤１２が第一制御盤８の前側に突出して装着されたものとした。しかし、第二制御盤１２が第一制御盤８の後側に突出して装着された構成又は第二制御盤１２が第一制御盤８の前側及び後側に突出して装着された構成であっても、図１〜図５の実施の形態における作用を得ることができる。
【図面の簡単な説明】
【００１７】
【図１】この発明の実施の形態１を示す図で、エレベーターを概念的に示す縦断面図。
【図２】図１の制御盤を拡大して示す図。
【図３】図２の平面図。
【図４】図１のエレベーターに関連した他のエレベーターの昇降路を概念的に示す横断平面図。
【図５】図４の制御盤の拡大正面図。
【符号の説明】
【００１８】
８  第一制御盤、９  箱体、１０  開口部（装着手段）、１１  深形箱体、１２  第二制御盤。
【図１】
2005324870.tif 000003
【図２】
2005324870.tif 000004
【図３】
2005324870.tif 000005
【図４】
2005324870.tif 000006
【図５】
2005324870.tif 000007